(57)【要約】【課題】  本発明は、収容スペース内で植物の多彩なレイアウトを楽しむことのできる植物鑑賞箱を提供することにある。【解決手段】  フレーム１ａ，１ｂ，１ｃ，１ｄを上下左右に枠組みした枠体１と、枠体１の前後の開放口を覆い且つ少なくとも前後いずれかが透明なパネル体６ａ，６ｂと、植物７を保持する植物保持体２とを備えており、枠体１のフレーム内周側部における複数箇所には、保持体被取付部４，４ａ，４ｂ，４ｃが設けてあり、植物保持体２は、培養土８および植物７を収容可能な有底筒型状をなすとともに、いずれかの保持体被取付部４，４ａ，４ｂ，４ｃに着脱自在な保持体取付部３ａ，３ｂが設けてあることを特徴とする。【選択図】      図１
2010130989.tif 000002
【特許請求の範囲】
【請求項１】
フレームを上下左右に枠組みした枠体と、枠体の前後の開放口を覆い且つ少なくとも前後いずれかが透明なパネル体と、植物を保持する植物保持体とを備えており、
枠体のフレーム内周側部における複数箇所には、保持体被取付部が設けてあり、
植物保持体は、培養土および植物を収容可能な有底筒型状をなすとともに、いずれかの保持体被取付部に着脱自在な保持体取付部が設けてあることを特徴とする植物鑑賞箱。
【請求項２】
保持体取付部は、植物保持体に水平軸回転自在に軸支してあることを特徴とする請求項１記載の植物鑑賞箱。
【請求項３】
下フレームに設けてある保持体被取付部は、フレーム長手方向に沿って溝状に形成してあることを特徴とする請求項１又は２記載の植物鑑賞箱。 
【発明の詳細な説明】
【技術分野】
【０００１】
本発明は、植物を収容して鑑賞あるいは装飾的目的で使用する植物鑑賞箱に関するものである。
【背景技術】
【０００２】
この種の植物観賞は個として、特開２０００−１３９６３０号公報に開示されるものがあり、これは、一面側をガラスパネルで覆う箱内に植物を収容し、その箱内で植物を生育させながら鑑賞を楽しむものであった。
【特許文献１】特開２０００−１３９６３０号公報
【発明の開示】
【発明が解決しようとする課題】
【０００３】
しかしながら、上記の特許文献１に開示されるものでは、植物を置く場所はケース体の底部に限定されるため、意匠的に単調なものとなってしまい、他の同種の植物育成鑑賞を目的とする商品と差別化を図ることが難しかった。
【０００４】
本発明は上記課題を鑑みてなされたものであり、収容スペース内で植物の多彩なレイアウトを楽しむことのできる植物鑑賞箱を提供することにある。
【課題を解決するための手段】
【０００５】
本発明のうち請求項１記載の発明は、フレームを上下左右に枠組みした枠体と、枠体の前後の開放口を覆い且つ少なくとも前後いずれかが透明なパネル体と、植物を保持する植物保持体とを備えており、枠体のフレーム内周側部における複数箇所には、保持体被取付部が設けてあり、植物保持体は、堆肥および植物を収容可能な有底筒型状をなすとともに、いずれかの保持体被取付部に着脱自在な保持体取付部が設けてあることを特徴とする。
【０００６】
本発明のうち請求項２記載の発明では、取付部は、植物保持体に水平軸回転自在に取り付けてあることを特徴とする。
【０００７】
本発明のうち請求項３記載の発明では、下フレームに設けてある保持体被取付部は、フレーム長手方向に沿う溝状に形成してあることを特徴とする。
【発明の効果】
【０００８】
本発明のうち請求項１記載の発明によれば、植物保持体を箱内の複数の箇所に取り付けることができるので、使用者の好みの位置に植物を保持して様々なレイアウトを楽しみながら育成・鑑賞ができ、このことから他の同種のものと差別化が図られた斬新な植物鑑賞箱を提供できる。さらに、箱内に植物を置くことにより、室内緑化が促進されて、近年叫ばれている環境保護が図られるとともに、植物が身近に置かれることで、例えばオフィスであれば日々の業務で蓄積するストレスに対する癒しの効果も付与される。また、室内空間を仕切るパーテーションのように枠体が大型化しても、フレームに保持体被取付部を多数設けてあれば、特別に枠体の大きさに対応した大きな植物を設置する必要がなく、例えば、手ごろな写真立て程度の大きさに納まる小さな植物を多数取り付けることでも対応できる上、色彩の異なる植物保持体の配置パターンを様々変更し、イベントや企業広告に活用する等の多彩なレイアウトの商品を提供できる。
【０００９】
本発明のうち請求項２記載の発明によれば、植物保持体が水平軸回転する取付部材を介して保持体取付部に取り付けてあることで、例えば、写真立てのように枠体を後方に傾けて設置するような態様であっても植物保持体が垂直状態を保つことができる。
【００１０】
本発明のうち請求項３記載の発明によれば、植物保持体がスライド自在に取り付けできるため、植物保持体を取り付けた後に下フレームの自由な位置に移動して植物を鑑賞できるので、一層多彩なレイアウトを楽しむことができる。
【発明を実施するための最良の形態】
【００１１】
以下に、図面に基づいて本実施による植物鑑賞箱の実施の形態を説明する。
図１は、本実施による植物鑑賞箱の全体を示す斜視図である。図２（ａ）は、本実施による枠体を正面視した斜視図であり、（ｂ）は、背面視した斜視図であり、（ｃ）は、本実施による植物保持体を正面視した斜視図であり、（ｄ）は、背面視した斜視図である。図３は、枠体に植物保持体を取り付けるときの状態を示す斜視図である。図４は、本実施による植物鑑賞箱の使用状態の一例を示す斜視図である。図５（ａ）（ｂ）（ｃ）（ｄ）は、植物保持体を収容スペースのいずれかの保持体被取付部に取り付けたときの態様を示す縦断面図である。
【００１２】
本実施による植物鑑賞箱は、図１を参照すれば、フレーム１ａ〜１ｄを上下左右にほぼ矩形に枠組みした枠体１と、枠体１の正面側と背面側の両面を覆うパネル体６ａ，６ｂと、枠体１のフレーム１ａ〜１ｄ内周部に設けられる複数の保持体被取付部４ａ〜４ｃと、いずれかの保持体被取付部４ａ〜４ｃに着脱自在な植物保持体２とからなっている。
【００１３】
枠体１は、図２（ａ）（ｂ）のように、断面ほぼ矩形の長短１組ずつのフレーム１ａ〜１ｄを上下左右に枠組みして、正面視して縦長矩形状に形成したものであり、上下左右各フレーム１ａ〜１ｄは枠組みしたときに約３０〜５０ｍｍの見込み幅を有しており、このうち、左右両フレーム１ｂ，１ｄの複数箇所に凹孔状をなす保持体被取付部４ａ，４ｂが設けてあり、また、下フレーム１ｃ及び左右両フレーム１ｂ，１ｄの下端部に連続して凹溝状をなす保持体被取付部４ｃが設けてある。さらに、枠体１の正面側開口部にはガラスパネル（パネル体）６ａが嵌め込まれており、背面側開口部には背面板（パネル体）６ｂが着脱自在に取り付けてある。背面板６ｂは、その一面側に上下左右側端部の４箇所に回転する爪部１１を有しており、各々の爪部１１を枠体１の背面側開口部に係止することで着脱可能に取り付けられるものである。また、背面板６ｂの一面側には、金具１０ａで回動自在に取り付けられる脚部１０を有しており、通常は脚部１０が背面板６ｂに倒伏した状態にあるが、回動して起こすことで、例えるなら写真立てのように枠体１を後方に傾けて置くことができる。
【００１４】
植物保持体２は、図２（ｃ）（ｄ）のように、上側が開放して前後左右側の四方を側壁で囲む平面視してほぼ左右に長い矩形の枡型に形成してあり、例えるならプランターのように、中に堆肥（培養土）８を収容できるようになっている（図３参照）。また、植物保持体２の左右両側壁部の外側面には、左右両フレーム１ｂ，１ｄに設けてある保持体被取付部４ａ，４ｂとほぼ同一形状・ほぼ同じ大きさの矩形ブロック状をなす保持体取付部３ａ，３ｂが軸部材３ｃにより水平軸回転自在に軸支してあり、保持体取付部３ａ，３ｂをいずれかの保持体被取付部４ａ〜４ｃに取り付けることで、図５（ａ）（ｂ）（ｃ）（ｄ）のように、植物７を堆肥８で保持した植物保持体２を枠体１内に自由に取り付けることができる。
尚、本実施形態では培養土として堆肥８を使用しているが、植物育成に適したものであれば腐葉土などでもよく、特に限定するものではない。
【００１５】
以上のように形成すると、図４のように、枠体１を傾けて設置したときに、保持体取付部３ａ，３ｂのみが左右両フレーム１ｂ，１ｄの傾きに合わせて軸回転するが、植物保持体２は軸部材３ｃで水平軸回転して堆肥８の重みで植物７を垂直な状態に保つことができる。また、枠体１の傾きに合わせて植物保持体２も傾けたいときは、枠体１の下フレーム１ｃに設けてある保持体被取付部４ｃに取り付けてもよいし、あるいは、軸部材３ｃを抜いて保持体取付部３を植物保持体２から取り外し、左右両フレーム１ｂ，１ｄに設けてあるいずれかの保持体被取付部４ａ，４ｂに取り付けてもよい。また、すでに枠体内にある植物７に給水するときには、上フレーム１ａを他のフレーム１ｂ〜１ｄから外し、その開放した箇所から水差しなどで植物保持体２内に水を注いでもよいし、あるいは、前後いずれかのパネル体６ａ，６ｂを枠体１から外して給水することも可能である。また、下フレーム１ｃに設けてある保持体被取付部４ｃに植物保持体２を取り付けたときは、図５（ｃ）（ｄ）のように、植物保持体２が保持体被取付部４ｃの溝状のいずれかの箇所に自由に取り付けることができ、より細かなレイアウトの変更が可能になる。
【００１６】
本発明の植物鑑賞箱は、上記実施形態のものの他、枠体が、例えば、図６（ａ）のように、多角形をなすものや、あるいは、図６（ｂ）のように、彎曲して円形をなすものであってもよく、フレーム１ａ〜１ｄで枠組みしたときに、植物保持体２と植物７の収容スペースＳが確保されるものであればよい。また、植物保持体２は、堆肥８を収容して植物７を植えることができるものであればよく、例えば、半球のボール状、丸底の有底筒型形状などであってもよい。左右両フレーム１ｂ，１ｄに設ける保持体被取付部４ａ，４ｂは、左右両フレーム１ｂ，１ｄ内周部に上向き鉤状をなす金具を固着し、また、植物保持体２の保持体取付部３ａ，３ｂを上下方向の挿通孔を有する筒型に形成し、互いを挿通して取り付けるものであってもよい（図６（ａ）参照）。また、本実施形態では写真立てのように傾けて設置するものについて説明したが、例えば、オフィスや店舗、一般住宅の室内空間や卓上を仕切るパーテーションとするものや、あるいは、額にして壁面に飾ったり、また、衝立として床に設置するなど他の態様のものでも可能である。
【図面の簡単な説明】
【００１７】
【図１】本実施による植物鑑賞箱を示す斜視図である。
【図２（ａ）（ｂ）（ｃ）（ｄ）】（ａ）は、本実施による枠体を正面視した斜視図であり、（ｂ）は、背面視した斜視図であり、（ｃ）は、本実施による植物保持体を正面視した斜視図であり、（ｄ）は、背面視した斜視図である。
【図３】植物保持体を枠体に取り付けるときの状態を示す斜視図である。
【図４】本実施による植物鑑賞箱の使用状態の一例を示す斜視図である。
【図５（ａ）（ｂ）（ｃ）（ｄ）】枠体収容スペース内における植物保持体の様々なレイアウトを示す縦断面図である。
【図６（ａ）（ｂ）】本発明の植物鑑賞箱の他の実施形態を示す正面図である。
【符号の説明】
【００１８】
１  枠体
１ａ  上フレーム（フレーム）
１ｂ  右フレーム（フレーム）
１ｃ  下フレーム（フレーム）
１ｄ  左フレーム（フレーム）
２  植物保持体
３ａ，３ｂ  保持体取付部
４，４ａ，４ｂ，４ｃ  保持体被取付部
６ａ  ガラスパネル（パネル体）
６ｂ  背面板（パネル体）
７  植物
８  堆肥（培養土）
【図１】
2010130989.tif 000003
【図２（ａ）（ｂ）（ｃ）（ｄ）】
2010130989.tif 000004
【図３】
2010130989.tif 000005
【図４】
2010130989.tif 000006
【図５（ａ）（ｂ）（ｃ）（ｄ）】
2010130989.tif 000007
【図６（ａ）（ｂ）】
2010130989.tif 000008